(57)【特許請求の範囲】
【請求項１】
ある方向に釣り針が取り付けられている２本の枝糸（１３ａ、１３ｂ）が通されて結ばれる第１、第２の枝糸孔（４２３ａ、４２３ｂ）が形成されており、前記第１、第２の枝糸孔（４２３ａ、４２３ｂ）に対して直角方向に、前記第１、第２の枝糸孔（４２３ａ、４２３ｂ）の間に１番目の幹糸（１１）が通されて結ばれる中央の幹糸孔（４２１）が形成され、前記第１、第２の枝糸孔（４２３ａ、４２３ｂ）の両側に２本の２番目の幹糸（１２ａ、１２ｂ）が通されて結ばれる第１、第２の幹糸孔（４２２ａ、４２２ｂ）が形成されていることを特徴とする釣り糸連結具。
【請求項２】
前記第１、第２の枝糸孔（５２３ａ、５２３ｂ）のそれぞれが、小径の入口と大径の出口を有し、前記入口と出口が出会う個所には段差（５２３ａ’、５２３ｂ’）が形成されていることを特徴とする請求項１に記載の釣り糸連結具。
【請求項３】
前記第１、第２の枝糸孔（６２３ａ、６２３ｂ）のそれぞれが、入口から出口へ進むにつれて広くなるテーパー状をなすことを特徴とする請求項１に記載の釣り糸連結具。
【発明の詳細な説明】
【技術分野】
【０００１】
本発明は、１番目の幹糸に対して２番目の幹糸を回転可能に支持すると共に、釣り針が取り付けられている枝糸を回転可能に支持することのできる釣り糸連結具に関する。
【背景技術】
【０００２】
通常、釣り糸において、幹糸の端部には棒が設けられ、幹糸の途中には釣り針が取り付けられている枝糸が連結される。このとき、枝糸３を幹糸１に付けるための種々の方式がある、例えば、図１に示すように、幹糸１の途中に所定の間隔をあけて１対以上のビーズ５および６を挿入し、ビーズ５および６同士の間隔が必要以上に広くなることを避けるために、各ビーズ５および６の外側において幹糸１を結んで結び目１ａ、１ｂを作っていた。すなわち、ビーズ５および６が引っ掛かる結び目１ａ、１ｂを形成することにより、ビーズ５および６が必要以上に広くなることを防ぐことができる。この状態で、枝糸３の端部に取り付けられる円環３ａを両ビーズ５および６の間に引っ掛けることにより、枝糸３は幹糸１に付けられることになる。
【０００３】
ところが、幹糸において、ビーズ５および６同士の間隔が広くなることを防ぐために形成されている結び目１ａ、１ｂは、単に幹糸１を結んでなるものであるため、釣りをする最中に幹糸１や枝糸３に強い張力がかかった場合、結び目１ａ、１ｂとなる個所がぶっつりと切れてしまうことがあった。
【０００４】
または、流速が変わったり釣糸が自由昇降を繰り返す場合に、水中において幹糸１が回転しながら枝糸３と絡んでしまう場合が頻発し、これに伴い、釣りを行うことが困難になる状況が生じていた。
【発明の開示】
【発明が解決しようとする課題】
【０００５】
本発明は上記の事情に鑑みてなされたものであり、その目的は、釣りの最中に強い張力がかかった場合であっても、幹糸がぶっつりと切れることを避けることのできる釣り糸連結具を提供するところにある。
【０００６】
本発明の他の目的は、水中において流速が変わったり釣糸が自由昇降を繰り返す場合であっても、幹糸や枝糸のよりを防ぐことのできる釣り糸連結具を提供するところにある。
【０００７】
本発明のさらに他の目的は、厚さの異なる複数本の幹糸を連結することのできる釣り糸連結具を提供するところにある。
【課題を解決するための手段】
【０００８】
前記の目的を達成するために、本発明の一実施態様による釣り糸連結具は、ある方向に釣り針が取り付けられている枝糸が通されて結ばれる枝糸孔が形成されており、前記枝糸孔に対して直角方向に前記枝糸孔の両側に１番目の幹糸と２番目の幹糸が互いにずれるように通されて結ばれる第１、第２の幹糸孔が形成されていることを特徴とする。
【０００９】
本発明において、前記第１の幹糸孔（１２１）と第２の幹糸孔（１２２）のうち少なくとも一方は、側部に突出される突部（１２１ａ、１２２ａ）に形成される。
【００１０】
本発明において、前記枝糸孔（２２３）は、小径の入口（２２３ａ）と大径の出口（２２３ｂ）を有し、前記入口（２２３ａ）と出口（２２ｂ）が出会う個所には段差（２２３ｃ）が形成される。
【００１１】
本発明において、前記枝糸孔（３２３）は、入口（３２３ａ）から出口（３２３ｂ）へ進むにつれて広くなるテーパー状をなす。
【００１２】
前記の目的を達成するために、本発明の他の実施態様による釣り糸連結具は、ある方向に釣り針が取り付けられている２本の枝糸（１３ａ、１３ｂ）が通されて結ばれる第１、第２の枝糸孔（４２３ａ、４２３ｂ）が形成されており、前記第１、第２の枝糸孔（４２３ａ、４２３ｂ）に対して直角方向に、前記第１、第２の枝糸孔（４２３ａ、４２３ｂ）の間に１番目の幹糸（１１）が通されて結ばれる中央の幹糸孔（４２１）が形成され、前記第１、第２の枝糸孔（４２３ａ、４２３ｂ）の両側に２本の２番目の幹糸（１２ａ、１２ｂ）が通されて結ばれる第１、第２の幹糸孔（４２２ａ、４２２ｂ）が形成されていることを特徴とする。
【００１３】
本発明において、前記第１、第２の枝糸孔（５２３ａ、５２３ｂ）のそれぞれは、小径の入口と大径の出口を有し、前記入口と出口が出会う個所には段差（５２３ａ’、５２３ｂ’）が形成される。
【００１４】
本発明において、前記第１、第２の枝糸孔（６２３ａ、６２３ｂ）のそれぞれは、入口から出口へ進むにつれて広くなるテーパー状をなす。
【００１５】
前記の目的を達成するために、本発明のさらに他の実施態様による釣り糸連結具は、ある方向に釣り針が取り付けられている枝糸が通されて結ばれる枝糸孔（７２３）が形成されており、前記枝糸孔（７２３）に対して直角方向に前記枝糸孔（７２３）の一側に１番目の幹糸と２番目の幹糸がそれぞれ通されて結ばれる第１、第２の幹糸孔（７２１、７２２）が形成されていることを特徴とする。
【００１６】
本発明において、前記枝糸孔（８２３）は、小径の入口（８２３ａ）と大径の出口（８２３ｂ）を有するが、前記入口（８２３ａ）と出口（８２３ｂ）が出会う個所には段差（８２３ｃ）が形成されていることを特徴とする。
【００１７】
本発明において、前記枝糸孔（９２３）は、入口（９２３ａ）から出口（９２３ｂ）へ進むにつれて広くなるテーパー状をなす。
【００１８】
前記の目的を達成するために、本発明のまた他の実施態様による釣り糸連結具は、ある方向に釣り針が取り付けられている枝糸が通されて結ばれる枝糸孔（１０２３）が形成されており、前記枝糸孔（１０２３）に対して直角方向に前記枝糸孔（１０２３）の両側に２本の１番目の幹糸と２本の２番目の幹糸が互いにずれるように通されて結ばれるそれぞれ２本ずつの第１の幹糸孔（１０２１ａ、１０２１ｂ）と第２の幹糸孔（１０２２ａ、１０２２ｂ）が形成される。
【００１９】
本発明において、前記枝糸孔（１１２３）は、小径の入口（１１２３ａ）と大径の出口（１１２３ｂ）を有し、前記入口（１１２３ａ）と出口（１１２３ｂ）が出会う個所には段差（１１２３ｃ）が形成される。
【００２０】
本発明において、前記枝糸孔（１２２３）は、入口（１２２３ａ）から出口（１２２３ｂ）へ進むにつれて広くなるテーパー状をなす。
【発明の効果】
【００２１】
本発明による釣り糸連結具によれば、２本または３本の幹糸を互いにずれるように連結することにより、釣りの最中に強い張力がかかった場合であっても、幹糸がぶっつりと切れることを防ぐことができる。
【００２２】
または、流速が変わったり釣糸が自由昇降を繰り返す場合であっても、幹糸や枝糸が釣り糸連結具に対して回転可能であることから、釣りの最中に幹糸と枝糸のよりや絡みを防ぐことができ、釣りを長時間行うことができる。
【００２３】
そして、釣り糸連結具に異なる幹糸が互いにずれるように連結されるようになっていることから、厚さの異なる複数本の幹糸を連結することができ、全体として釣り糸の連結強度を高めることが可能になる。
【発明を実施するための最良の形態】
【００２４】
以下、添付図面に基づき、本発明による釣り糸連結具を詳細に説明する。
【００２５】
図２は、本発明による釣り糸連結具と幹糸及び枝糸間の連結状態を示す図である。
【００２６】
図２に示すように、本発明による釣り糸連結具は、１番目の幹糸１１に対して２番目の幹糸１２を回転可能に支持すると共に、釣り針１４が取り付けられている枝糸１３を回転可能に支持するものである。この種の釣り糸連結具は、種々の実施態様として実現され、以下、これを順次に説明していく。
【００２７】
図３は、図２に示す釣り糸連結具の第１の実施態様における幹糸孔と枝糸孔を説明するための図である。
【００２８】
図３に示すように、本発明の第１の実施態様による釣り糸連結具２０は、ある方向に枝糸孔２３が形成されており、枝糸孔２３に対して直角方向に枝糸孔２３の両側に第１、第２の幹糸孔２１、２２が形成されているような構造を有する。このような構造により、図２に示すように、釣り針１４が取り付けられている枝糸１３は、枝糸孔２３を通された後に結ばれて結び目１３’となることにより、枝糸孔２３から外れなくなる。また、１番目の幹糸１１は、上部から第１の幹糸孔２１を通された後に下部において結ばれて結び目１１’となることにより、釣り糸連結具２０に支持され、２番目の幹糸１２は、第２の幹糸孔２２の下部から通された後に上部において結ばれて結び目１２’となることにより、釣り糸連結具２０に支持される。そして、複数本の釣り糸連結具と幹糸を前記の方法により連結するが、１番目の幹糸１１と２番目の幹糸１２は互いにずれるように釣り糸連結具２０に連結される構造であるため、厚さの異なる幹糸であっても、釣り糸連結具に連結可能になる。
【００２９】
図４は、図２に示す釣り糸連結具の第２の実施態様における幹糸孔と枝糸孔を説明するための図である。
【００３０】
図４に示すように、本発明の第２の実施態様による釣り糸連結具１２０は、ある方向に枝糸孔１２３が形成されており、枝糸孔１２３に対して直角方向に枝糸孔１２３の両側に第１、第２の幹糸孔１２１、１２２が形成されているような構造を有する。このとき、第１の幹糸孔１２１と第２の幹糸孔１２２のうち少なくとも一方は、側部に突出される突部１２１ａ、１２２ａに形成される。この実施態様においては、２本の突部のそれぞれに第１の幹糸孔１２１と第２の幹糸孔１２２が形成されているものを例として挙げているが、単一の突部が形成され、その突部に幹糸孔が形成されてもよいことはもちろんである。このような構造において、幹糸１１と枝糸１３を連結する方式は、第１の実施態様において説明されたものと実質的に同様であるため、それ以上の詳細な説明を省略する。
【００３１】
図５は、図２に示す釣り糸連結具の第３の実施態様における幹糸孔と枝糸孔を説明するための図である。
【００３２】
図５に示すように、本発明の第３の実施態様による釣り糸連結具２２０は、ある方向に枝糸孔２２３が形成されており、枝糸孔２２３に対して直角方向に枝糸孔２２３の両側に第１、第２の幹糸孔２２１、２２２が形成されているような構造を有する。このとき、枝糸１３が通されて結ばれる枝糸孔２２３は、小径の入口２２３ａと大径の出口２２３ｂを有し、入口２２３ａと出口２２３ｂが出会う個所には段差２２３ｃが形成される。
【００３３】
枝糸孔２２３の入出口２２３ａ、２２３ｂに枝糸１３の一端を通した後、この通された個所を結び、その後、枝糸１３を引っ張ると、結び目となる個所は出口２２３ｂの内部に引っ込まれた後で段差２２３ｃに引っ掛かる。これにより、枝糸１３は、枝糸孔２２３から外れなくなり、結び目となる個所が出口２２３ｂの内部に引っ込まれているため、外部からは見られなくなり、これにより、釣り糸連結具がきれいに仕上げられる。
【００３４】
図６は、図２に示す釣り糸連結具の第４の実施態様における幹糸孔と枝糸孔を説明するための図である。
【００３５】
図６に示すように、本発明の第４の実施態様による釣り糸連結具３２０は、ある方向に枝糸孔３２３が形成されており、枝糸孔３２３に対して直角方向に枝糸孔３２３の両側に第１、第２の幹糸孔３２１、３２２が形成されているような構造を有する。このとき、枝糸１３が通されて結ばれる枝糸孔３２３は、入口３２３ａから出口３２３ｂへ進むにつれて広くなるテーパー状をなす。
【００３６】
枝糸孔３２３の入出口３２３ａ、３２３ｂに枝糸１３の一端を通した後、この通された個所を結び、この後、枝糸１３を引っ張ると、結び目となる個所はテーパー状をなす出口３２３ｂの内部に引っ込まれた後に引っ掛かる。これにより、枝糸１３は枝糸孔３２３から外れなくなり、結び目となる個所がテーパー状をなす出口３２３ｂの内部に引っ込まれているため、外部からは見られなくなり、これにより、釣り糸連結具がきれいに仕上げられる。
【００３７】
図７は、本発明による釣り糸連結具と幹糸及び枝糸間の連結状態を示す図である。
【００３８】
図７に示すように、本発明の釣り糸連結具は、１番目の幹糸１１に対して２本の２番目の幹糸１２ａ、１２ｂを回転可能に支持すると共に、釣り針１４が取り付けられている２本の枝糸１３ａ、１３ｂを回転可能に支持することもできる。この釣り糸連結具は種々の実施態様により実現可能であり、以下、これを順次に説明していく。
【００３９】
図８は、図７に示す釣り糸連結具の第５の実施態様における幹糸孔と枝糸孔を説明するための図である。
【００４０】
図８に示すように、本発明の第５の実施態様による釣り糸連結具４２０は、ある方向に２本の枝糸１３ａ、１３ｂが通されて結ばれる第１、第２の枝糸孔４２３ａ、４２３ｂが形成されており、第１、第２の枝糸孔４２３ａ、４２３ｂに対して直角方向に、第１、第２の枝糸孔４２３ａ、４２３ｂの間に１番目の幹糸１１が通されて結ばれる中央の幹糸孔４２１が形成され、第１、第２の枝糸孔４２３ａ、４２３ｂの両側に２本の２番目の幹糸１２ａ、１２ｂが通されて結ばれる第１、第２の幹糸孔４２２ａ、４２２ｂが形成されているような構造を有する。このような構造により、図７に示すように、釣り針１４が取り付けられている枝糸１３ａ、１３ｂは、第１、第２の枝糸孔４２３ａ、４２３ｂを通された後に結ばれて結び目１３ａ’、１３ｂ’となることにより、第１、第２の枝糸孔４２３ａ、４２３ｂから外れなくなる。また、１番目の幹糸１１は、上部から中央の幹糸孔４２１を通された後、下部において結ばれて結び目１１’となることにより、釣り糸連結具４２０を支持し、２番目の幹糸１２ａ、１２ｂは第１、第２の幹糸孔４２２ａ、４２２ｂの下部から通された後、上部において結ばれて結び目１２ａ’、１２ｂ’となることにより、釣り糸連結具４２０を支持しる。そして、複数本の釣り糸連結具と幹糸を前記の方法により連結するが、１番目の幹糸１１と２番目の幹糸１２ａ、１２ｂは互いにずれるように釣り糸連結具４２０に連結される構造となっているため、厚さの異なる幹糸であっても、釣り糸連結具に連結可能になる。
【００４１】
図９は、図７に示す釣り糸連結具の第６の実施態様における幹糸孔と枝糸孔を説明するための図である。
【００４２】
図９に示すように、本発明の第６の実施態様による釣り糸連結具５２０は、ある方向に２本の枝糸１３ａ、１３ｂが通されて結ばれる第１、第２の枝糸孔５２３ａ、５２３ｂが形成されており、第１、第２の枝糸孔５２３ａ、５２３ｂに対して直角方向に、第１、第２の枝糸孔５２３ａ、５２３ｂの間に１番目の幹糸１１が通されて結ばれる中央の幹糸孔５２１が形成され、第１、第２の枝糸孔５２３ａ、５２３ｂの両側に２番目の幹糸１２ａ、１２ｂが通されて結ばれる第１、第２の幹糸孔５２２ａ、５２２ｂが形成されているような構造を有する。このとき、枝糸１３ａ、１３ｂが通されて結ばれる第１、第２の枝糸孔５２３ａ、５２３ｂのそれぞれは、小径の入口と大径の出口を有し、入口と出口が出会う個所には段差５２３ａ’、５２３ｂ’が形成される。
【００４３】
第１、第２の枝糸孔５２３ａ、５２３ｂの入出口に２本の枝糸１３ａ、１３ｂをそれぞれ通した後、この通された個所を結び、この後、２本の枝糸１３ａ、１３ｂを引っ張ると、結び目となる個所は出口の内部に引っ込まれた後、段差５２３ａ’、５２３ｂ’に引っ掛かる。これにより、枝糸１３は第１、第２の枝糸孔５２３ａ、５２３ｂから外れなくなり、結び目となる個所が出口の内部に引っ込まれているため、外部からは見られなくなり、これにより、釣り糸連結具がきれいに仕上げられる。
【００４４】
図１０は、図７に示す釣り糸連結具の第７実施態様における幹糸孔と枝糸孔を説明するための図である。
【００４５】
図１０に示すように、本発明の第７の実施態様による釣り糸連結具６２０は、ある方向に２本の枝糸１３ａ、１３ｂが通されて結ばれる第１、第２の枝糸孔６２３ａ、６２３ｂが形成されており、第１、第２の枝糸孔６２３ａ、６２３ｂに対して直角方向に、第１、第２の枝糸孔６２３ａ、６２３ｂの間に１番目の幹糸１１が通されて結ばれる中央の幹糸孔６２１が形成され、第１、第２の枝糸孔６２３ａ、６２３ｂの両側に２番目の幹糸１２ａ、１２ｂが通されて結ばれる第１、第２の幹糸孔６２２ａ、６２２ｂが形成されているような構造を有する。このとき、枝糸１３ａ、１３ｂが通されて結ばれる第１、第２の枝糸孔６２３ａ、６２３ｂは、入口から出口へ進むにつれて広くなるテーパー状をなす。
【００４６】
第１、第２の枝糸孔６２３ａ、６２３ｂの入出口に２本の枝糸１３ａ、１３ｂをそれぞれ通した後、この通された個所を結び、その後、２本の枝糸１３ａ、１３ｂを引っ張ると、結び目となる個所はテーパー状をなす出口の内部に引っ込まれて引っ掛かる。これにより、枝糸１３ａ、１３ｂは第１、第２の枝糸孔６２３ａ、６２３ｂから外れなくなり、結び目となる個所が出口の内部に引っ込まれているため、外部からは見られなくなり、これにより、釣り糸連結具がきれいに仕上げられる。
【００４７】
図１１は、本発明の第８の実施態様による釣り糸連結具において、幹糸孔と枝糸孔を説明するための図である。
【００４８】
図１１に示すように、本発明の第８の実施態様による釣り糸連結具７２０は、ある方向に釣り針が取り付けられている枝糸が通されて結ばれる枝糸孔７２３が形成されており、枝糸孔７２３に対して直角方向に枝糸孔７２３の一側に１番目の幹糸と２番目の幹糸がそれぞれ通されて結ばれる第１、第２の幹糸孔７２１、７２２が形成される。枝糸孔７２３に枝糸を通して結び、第１、第２の幹糸孔７２１、７２２に幹糸を通して結ぶ方式は既に述べているため、それ以上の詳細な説明は省略する。
【００４９】
図１２は、本発明による釣り糸連結具の第９の実施態様における幹糸孔と枝糸孔を説明するための図である。
【００５０】
図１２に示すように、本発明の第９の実施態様による釣り糸連結具８２０は、ある方向に釣り針が取り付けられている枝糸が通されて結ばれる枝糸孔８２３が形成されており、枝糸孔８２３に対して直角方向に枝糸孔８２３の一側に１番目の幹糸と２番目の幹糸がそれぞれ通されて結ばれる第１、第２の幹糸孔８２１、８２２が形成される。このとき、枝糸孔８２３は、小径の入口８２３ａと大径の出口８２３ｂを有し、入口８２３ａと出口８２３ｂが出会う個所には段差８２３ｃが形成される。枝糸孔８２３に枝糸を通して結び、第１、第２の幹糸孔８２１、８２２に幹糸を通して結ぶ方式は既に述べているため、それ以上の詳細な説明は省略する。
【００５１】
図１３は、本発明による釣り糸連結具の第１０の実施態様における幹糸孔と枝糸孔を説明するための図である。
【００５２】
図１３に示すように、本発明の第１０の実施態様による釣り糸連結具９２０は、ある方向に釣り針が取り付けられている枝糸が通されて結ばれる枝糸孔９２３が形成されており、枝糸孔９２３に対して直角方向に枝糸孔９２３の一側に１番目の幹糸と２番目の幹糸がそれぞれ通されて結ばれる第１、第２の幹糸孔９２１、９２２が形成される。このとき、枝糸孔９２３は、入口９２３ａから出口９２３ｂへ進むにつれて広くなるテーパー状をなす。枝糸孔９２３に枝糸を通して結び、第１、第２の幹糸孔９２１、９２２に幹糸を通して結ぶ方式は既に述べているため、それ以上の詳細な説明は省略する。
【００５３】
図１４は、本発明による釣り糸連結具の第１１の実施態様における幹糸孔と枝糸孔を説明するための図である。
【００５４】
図１４に示すように、本発明の第１１の実施態様による釣り糸連結具１０２０は、ある方向に釣り針が取り付けられている枝糸が通されて結ばれる枝糸孔１０２３が形成されており、枝糸孔１０２３に対して直角方向に枝糸孔１０２３の両側に２本の１番目の幹糸と２本の２番目の幹糸が互いにずれるように通されて結ばれるそれぞれ２本ずつの第１の幹糸孔１０２１ａ、１０２１ｂと第２の幹糸孔１０２２ａ、１０２２ｂが形成される。枝糸孔１０２３に枝糸を通して結び、第１の幹糸孔１０２１ａ、１０２１ｂと第２の幹糸孔１０２２ａ、１０２２ｂのそれぞれに幹糸を通して結ぶ方式は既に述べているため、それ以上の詳細な説明は省略する。
【００５５】
図１５は、本発明による釣り糸連結具の第１２の実施態様における幹糸孔と枝糸孔を説明するための図である。
【００５６】
図１５に示すように、本発明の第１２の実施態様による釣り糸連結具１１２０は、ある方向に釣り針が取り付けられている枝糸が通されて結ばれる枝糸孔１１２３が形成されており、枝糸孔１１２３に対して直角方向に枝糸孔１１２３の両側に２本の１番目の幹糸と２本の２番目の幹糸が互いにずれるように通されて結ばれるそれぞれ２本ずつの第１の幹糸孔１１２１ａ、１１２１ｂと第２の幹糸孔１１２２ａ、１１２２ｂが形成される。このとき、枝糸孔１１２３は、小径の入口１１２３ａと大径の出口１１２３ｂを有し、入口１１２３ａと出口１１２３ｂが出会う個所には段差１１２３ｃが形成される。枝糸孔１１２３に枝糸を通して結び、第１の幹糸孔１１２１ａ、１１２１ｂと第２の幹糸孔１１２２ａ、１１２２ｂのそれぞれに幹糸を通して結ぶ方式は既に述べているため、それ以上の詳細な説明は省略する。
【００５７】
図１６は、本発明による釣り糸連結具の第１３の実施態様における幹糸孔と枝糸孔を説明するための図である。
【００５８】
図１６に示すように、本発明の第１３の実施態様による釣り糸連結具１２２０は、ある方向に釣り針が取り付けられている枝糸が通されて結ばれる枝糸孔１２２３が形成されており、枝糸孔１２２３に対して直角方向に枝糸孔１２２３の両側に２本の１番目の幹糸と２本の２番目の幹糸が互いにずれるように通されて結ばれるそれぞれ２本ずつの第１の幹糸孔１２２１ａ、１２２１ｂと第２の幹糸孔１２２２ａ、１２２２ｂが形成される。このとき、枝糸孔１２２３は、入口１２２３ａから出口１２２３ｂへ進むにつれて広くなるテーパー状をなす。枝糸孔１２２３に枝糸を通して結び、第１の幹糸孔１２２１ａ、１２２１ｂと第２の幹糸孔１２２２ａ、１２２２ｂのそれぞれに幹糸を通して結ぶ方式は既に述べているため、それ以上の詳細な説明は省略する。
【００５９】
本発明は、図示の一実施態様を参考として説明されたが、これは単なる例示的なものに過ぎず、この技術分野における通常の知識を有する者であれば、これより種々の変形及び均等な他の実施態様が可能であることは理解できるであろう。
【図面の簡単な説明】
【００６０】
【図１】従来の釣り糸における幹糸及び枝糸間の連結状態を示す図。
【図２】本発明による釣り糸連結具と幹糸及び枝糸間の連結状態を示す図。
【図３】図２に示す釣り糸連結具の第１の実施態様における幹糸孔と枝糸孔を説明するための図。
【図４】図２に示す釣り糸連結具の第２の実施態様における幹糸孔と枝糸孔を説明するための図。
【図５】図２に示す釣り糸連結具の第３の実施態様における幹糸孔と枝糸孔を説明するための図。
【図６】図２に示す釣り糸連結具の第４の実施態様における幹糸孔と枝糸孔を説明するための図。
【図７】本発明による釣り糸連結具と幹糸及び枝糸間の連結状態を示す図。
【図８】図７に示す釣り糸連結具の第５の実施態様における幹糸孔と枝糸孔を説明するための図。
【００６１】
【図９】図７に示す釣り糸連結具の第６の実施態様における幹糸孔と枝糸孔を説明するための図。
【図１０】図７に示す釣り糸連結具の第７の実施態様における幹糸孔と枝糸孔を説明するための図。
【図１１】本発明による釣り糸連結具の第８の実施態様における幹糸孔と枝糸孔を説明するための図。
【図１２】本発明による釣り糸連結具の第９の実施態様における幹糸孔と枝糸孔を説明するための図。
【図１３】本発明による釣り糸連結具の第１０の実施態様における幹糸孔と枝糸孔を説明するための図。
【図１４】本発明による釣り糸連結具の第１１の実施態様における幹糸孔と枝糸孔を説明するための図。
【図１５】本発明による釣り糸連結具の第１２の実施態様における幹糸孔と枝糸孔を説明するための図。
【図１６】本発明による釣り糸連結具の第１３の実施態様における幹糸孔と枝糸孔を説明するための図。
【符号の説明】
【００６２】
２０     釣り糸連結具（第１の実施態様）
２２     第１、第２の幹糸孔
２３     枝糸孔
１２０     釣り糸連結具（第２の実施態様）
１２１、１２２     第１、第２の幹糸孔
１２１ａ、１２２ａ     突部
１２３     枝糸孔
２２０     釣り糸連結具（第３の実施態様）
２２１、２２２     第１、第２の幹糸孔
２２３     枝糸孔
２２３ａ    入口
２２３ｂ    出口   
２２３ｃ     段差
【００６３】
３２０     釣り糸連結具（第４の実施態様）
３２１、３２２     第１、第２の幹糸孔
３２３     枝糸孔
３２３ａ    入口
３２３ｂ    出口
４２０     釣り糸連結具（第５の実施態様）
４２１     中央の幹糸孔
４２２ａ、４２２ｂ     第１、第２の幹糸孔
４２３ａ、４２３ｂ     第１、第２の枝糸孔
【００６４】
５２０     釣り糸連結具（第６の実施態様）
５２１     中央の幹糸孔
５２２ａ、５２２ｂ    第１、第２の幹糸孔
５２３ａ、５２３ｂ    第１、第２の枝糸孔
５２３ａ’、５２３ｂ’    段差
６２０    釣り糸連結具（第７の実施態様）
６２１    中央の軒糸孔
６２２ａ、６２２ｂ    第１、第２の幹糸孔
６２３ａ、６２３ｂ    第１、第２の枝糸孔
【００６５】
７２０    釣り糸連結具（第８の実施態様）
７２１、７２２    第１、第２の幹糸孔
７２３    枝糸孔
８２０    釣り糸連結具（第９の実施態様）
８２１、８２２    第１、第２の幹糸孔
８２３    枝糸孔
８２３ａ    入口
８２３ｂ    出口
８２３ｃ    段差
【００６６】
９２０    釣り糸連結具（第１０の実施態様）
９２１、９２２    第１、第２の幹糸孔
９２３    枝糸孔
９２３ａ    入口
９２３ｂ    出口
１０２０    釣り糸連結具（第１１の実施態様）
１０２１ａ、１０２１ｂ    第１の幹糸孔
１０２２ａ、１０２２ｂ    第２の幹糸孔
１０２３    枝糸孔
【００６７】
１１２０    釣り糸連結具（第１２の実施態様）
１１２１ａ、１１２１ｂ    第１の幹糸孔
１１２２ａ、１１２２ｂ    第２の幹糸孔
１１２３    枝糸孔
１１２３ａ    入口
１１２３ｂ    出口
１１２３ｃ    段差
１２２０    釣り糸連結具
１２２１ａ、１２２１ｂ    第１の幹糸孔
１２２２ａ、１２２２ｂ    第２の幹糸孔
１２２３    枝糸孔
１２２３ａ    入口
１２２３ｂ    出口
【図１】
0004601597.tif 000002
【図２】
0004601597.tif 000003
【図３】
0004601597.tif 000004
【図４】
0004601597.tif 000005
【図５】
0004601597.tif 000006
【図６】
0004601597.tif 000007
【図７】
0004601597.tif 000008
【図８】
0004601597.tif 000009
【図９】
0004601597.tif 000010
【図１０】
0004601597.tif 000011
【図１１】
0004601597.tif 000012
【図１２】
0004601597.tif 000013
【図１３】
0004601597.tif 000014
【図１４】
0004601597.tif 000015
【図１５】
0004601597.tif 000016
【図１６】
0004601597.tif 000017